(57)【要約】【課題】従来型の隙間ノズルの目的である垂直な隙間の底の塵埃だけでなく、隙間壁面に付着した埃、水平な隙間の埃、高所平坦個所の塵埃などを容易に吸い取ることができる万能型の多用途隙間ノズルを得る。【解決手段】垂直な隙間の底の塵埃を吸い取るための開閉自在の吸込口を先端部に設けると共に、水平な隙間や高所平坦部の塵埃を効果的に吸い取るための開閉自在の吸込口を隙間ノズル側面部に設ける。更に、吸込口の周辺に、こびりついた垢埃を掻き出すためのブラシを設ける。【選択図】　　　　図１
2004057781.tif 000002
【特許請求の範囲】
【請求項１】
一端が電気掃除機本体に接続かつ連通された接続管の他端に取り付けられる隙間ノズルにおいて、前記隙間ノズルの先端部は、吸込口を設けるか又は閉鎖のいずれかとし、前記先端部近傍の隙間ノズル側面部に一箇所以上の吸込口を設けたことを特徴とする電気掃除機の多用途隙間ノズル。
【請求項２】
隙間ノズルの先端部及び側面部のいずれにも吸込口を設け、かつ前記吸込口を開閉自在にしたことを特徴とする請求項１記載の多用途隙間ノズル。
【請求項３】
隙間ノズルの吸込口近傍にブラシを設けたことを特徴とする請求項１記載の多用途隙間ノズル。
【請求項４】
請求項１記載の隙間ノズルの長さを延長するため、前記隙間ノズルの一端に嵌合させる延長用隙間ノズル、及び、請求項１記載の接続管の他端に一端を接続かつ連通させた中継パイプの他端と、請求項１記載の隙間ノズルの一端とを接続かつ連通させる接続用ノズル。
【請求項５】
請求項１記載の隙間ノズルの向きを変えて使用するために、必要な一定角度に曲成した請求項４記載の接続用ノズル及び中継パイプ。
【発明の詳細な説明】
【０００１】
【発明の属する技術分野】
本発明は、電気掃除機の隙間ノズルに関する。
【０００２】
【従来の技術】
従来の電気掃除機の隙間ノズルにおいては、パイプを中継して長尺ノズルにしたり（例えば、特開平１０−３２３３０４号公報参照）、ノズルを伸縮自在にしたり（例えば、特開平７−２５５６５０号、実開昭６２−２０４５４４号公報参照）、ノズル先端にブラシを設けたり（例えば、特開平８−１８２６４０号、実開平５−８０４４４号公報参照）、ノズルを柔らかい合成樹脂材料を用いて成型したり（例えば、実開平５−８０４４５号公報参照）或いは、ノズルに蛇腹を設けたり（例えば、特開平１１−１５１１８６号公報参照）することにより垂直な隙間の床底の塵埃を清掃できるようにしている。
【０００３】
【発明が解決しようとする課題】
従来の電気掃除機の隙間ノズルにあっては、いずれも吸込口がノズルの先端部のみに設けられているため、壁際と家具の隙間の床底など垂直な隙間の床底の塵埃は吸い取れるが、同じ隙間の両壁にこびりついた垢埃や、書棚や商品棚に収納された書籍や商品とすぐ上の棚との狭い隙間など、水平な隙間に積もった塵埃、或いは背高家具の天井板の上などの高所平坦箇所の塵埃は、構造上十分に吸い取ることができないという問題点があった。
【０００４】
本発明は、壁際と家具の隙間の床底だけでなく、同じ隙間の両壁面にこびりついた垢埃を用意に吸い取ることができることはもちろん、書棚に並ぶ書籍とすぐ上の棚との狭い隙間の埃、商品棚の商品とすぐ上の棚の隙間で商品にかぶった塵埃など、水平な隙間の塵埃の清掃、また、背高家具の天井板の上など高所平坦箇所の塵埃、更に比較的背の低い大型家具と壁の隙間の塵埃を、同家具の前方からでも容易に吸い取ることができるなど、電気掃除機の万能型の多用途隙間ノズルを得ることを目的としている。
【０００５】
【課題を解決するための手段】
上記目的を達成するため、本発明の電気掃除機の隙間ノズルにおいては、水平な隙間及び高所平坦箇所の塵埃を最も効果的に吸い取るために、隙間ノズルの側面部に吸込口とブラシを設ける構造とした。すなわち、隙間ノズル（１）の先端近傍の側面部に開閉自在の吸込口（２）を設け、こびりついた垢埃を掻き出すためのブラシ（３）を側面部吸込口近傍に設ける。さらに隙間の床底の塵埃を吸い取るための開閉自在の吸込口（７）を先端部に設ける。この場合先端部にブラシを設けることも可能である。
また隙間ノズルの向きを変えて使用することができる曲成した接続用ノズル（１０）や曲成した中継パイプ（９）を用意することにより、箪笥の天井板の上など高所平坦個所の塵埃、或いは比較的背の低い大型家具と壁の隙間の塵埃を下方又は前方の位置からでも容易に吸い取れるような万能型の多用途隙間ノズルを得る。
【０００６】
上記隙間ノズルの先端部を閉鎖した隙間ノズルも考えられるが、多用途隙間ノズルとするためには、先端部にも吸込口を設け、かつ開閉自在の開閉蓋（４）を設けることが望ましい。また側面部の吸込口は、左右側面部の先端部近傍に各１個所設け、開閉自在の開閉蓋を設けることが望ましい。この場合開閉蓋は、いずれもワンタッチで開閉できる引き戸式の開閉蓋（４、５）とすることが望ましい。
また吸込口の形は、長方形の外、円形、楕円形その他でもよい。
【０００７】
前記のブラシの毛は、通常の用途に使用するためには、比較的細くかつ柔らかいもので、長さは１５〜２０ｍｍ程度が標準的である。用途によっては、ブラシの毛を当該用途に最適な長さと硬さにすることもできる。
【０００８】
請求項４記載の接続用ノズル（６）及び中継パイプ、請求項５記載の曲成した接続用ノズル（１０）及び中継パイプ（９）の長さ及び曲成する角度は、使用環境に対応して多様に考えられる。
【０００９】
前記隙間ノズル（１）の長さは、使用環境に適した様々な長さのものを用意することができるが、通常の大型家具の形状寸法からすれば、６０〜１００ｃｍ程度のものが標準的である。
【００１０】
【発明の実施の形態】
発明の実施の形態を実施例にもとずき図面を参照して説明する。
図１に示す実施例では、一端を接続用ノズル（６）に嵌着した隙間ノズル（１）の先端部に、引き戸式開閉蓋（４）を取り付けた吸込口（７）を設け、先端近傍の左右両側面部にも、それぞれ引き戸式開閉蓋（５）を取り付けた吸込口（２）を設けている。さらに両側面部の各吸込口の周辺に吸込口を取り巻くようにブラシ（３）を植毛している。ブラシの毛は、１５〜２０ｍｍの長さの、比較的柔らかな毛を使用している。
また隙間ノズル本体の形体は、狭い隙間に挿入するときに支障の少ない、全体として扁平な形体としている。
【００１１】
図１１〜１４は、請求項４記載の延長用隙間ノズル（８）の実施例であるが、その長さについては、嵌合式にすれば、多くの種類は必要ないであろう。
【００１２】
図１５〜１７は請求項５記載の曲成した中継パイプ（９）の実施例であるが、この中継パイプは、主として、背高家具の天井板の上など高所平坦個所の塵埃を清掃する際、接続用ノズル（６）に嵌着して使用すれば、家具等の前方下方の位置から同個所の清掃をすることができるので、大変便利である。
なお同パイプの曲成の角度は、使用環境にもよるが、通常には、内角が１１０〜１４０°のもので十分である。
【００１３】
図１８〜２０は、隙間ノズルの一端に嵌着して使用する請求項５記載の曲成した接続用ノズル（１０）の実施例である。この曲成した接続用ノズルは、主として、比較的背の低い大型家具の前方の位置から、同家具と壁の隙間へ隙間ノズルを差し入れて、隙間の塵埃えお吸い取ることができる大変便利な用具である。
当該ノズルの曲成角度及び長さは、通常の場合、それ程長いものは必要でなく、曲の角度も内角が９０°のものがあれば大抵の場合に対応できる。
【００１４】
本実施例において、隙間ノズルの一端、すなわち接続用ノズル（６）に嵌着している方の一端の形を、請求項１記載の電気掃除機本体に接続かつ連通された接続管の他端に直接嵌着かつ連通させる構造にすれば、接続用ノズルがなくても隙間ノズルとして使用できる。
また、本発明の多用途隙間ノズルの最も簡単な実施例としては、市販の電気掃除機を購入したとき付属品としてセットされている、３０ｃｍほどの短い隙間ノズルの改良が考えられる。すなわち、前記の短い隙間ノズルの先端近傍の、すくなくとも片方の側面部に引き戸式開閉蓋の付いた吸込口を設け、同時に、先端部の吸込口にも引き戸式開閉蓋を取り付ければ、書棚の書籍とすぐ上の棚等の水平な隙間や背高家具の天井板の上などの高所平坦個所の塵埃の清掃については大いに役立つ便利な用具となる。
【００１５】
【発明の効果】
本発明は、以上説明したように構成されているので、以下に記載されるような効果を奏する。
【００１６】
従来の隙間ノズルは、構造上、垂直な隙間の床底以外は十分な清掃効果を発揮することができなかったが、本発明の多用途隙間ノズルは、側面部にも吸込口を設けることで、垂直な隙間の床底の外、垂直な隙間の両壁面に付着している埃、水平な隙間に積もった塵埃、及び高所平坦個所の塵埃等、従来の隙間ノズルが対応できなかった隙間や個所の清掃を可能にする。
【００１７】
水平な隙間についていえば、例えば、書棚に並んだ書籍とすぐ上の棚との狭い隙間に溜った埃、商品棚の商品とすぐ上の棚の隙間の、商品にかぶった塵埃などである。
高所平坦個所の塵埃に付いて言えば、例えば、箪笥や洋服ダンスの天井板の上の埃や高所の棚の埃などである。
【００１８】
本発明においては、吸込口の付いた隙間ノズルの外に、延長用隙間ノズル、接続用ノズル、曲成したせ接続用ノズル、曲成した中継パイプが用意されているので、隙間ノズルを使用環境に対応して様々な用い方をすることができる。
【００１９】
例えば、前記実施例について言えば、高所平坦個所の清掃のためには、隙間ノズルの外に、接続用ノズルと曲成した中継パイプがあればよい。
また、比較的背の低い大型家具と壁の隙間の塵埃を、大型家具の前方の位置から容易に清掃するためには、隙間ノズルの外、曲成した接続用ノズルがあればよい。
【図面の簡単な説明】
【図１】接続用ノズルに嵌着させた隙間ノズルの実施例を示す右側面図（左右側面図は対称である。）
【図２】接続用ノズルに嵌着させた隙間ノズルの実施例を示す平面図である。
【図３】接続用ノズルに嵌着させた隙間ノズルの実施例を示す底面図である。
【図４】（ａ）先端部吸込口の開閉蓋を閉じた、隙間ノズルの正面図である。（ｂ）先端部吸込口の開閉蓋を開けた、隙間ノズルの正面図である。
【図５】隙間ノズルの実施例を示す背面図である。
【図６】隙間ノズルの実施例を示す「Ａ−Ａ」断面図である。
【図７】接続用ノズルの実施例を示す側面図である。
【図８】接続用ノズルの実施例を示す平面図である。
【図９】接続用ノズルの実施例を示す正面図である。
【図１０】接続用ノズルの実施例を示す背面図である。
【図１１】延長用隙間ノズルの実施例を示す側面図である。
【図１２】延長用隙間ノズルの実施例を示す平面図である。
【図１３】延長用隙間ノズルの実施例を示す正面図である。
【図１４】延長用隙間ノズルの実施例を示す背面図である。
【図１５】曲成した中継パイプの実施例を示す側面図である。
【図１６】曲成した中継パイプの実施例を示す「Ｂ−Ｂ」断面図である。
【図１７】曲成した中継パイプの実施例を示す「Ｃ−Ｃ」断面図である。
【図１８】曲成した接続用ノズルの実施例を示す側面図である。
【図１９】曲成した接続用ノズルの実施例を示す「Ｄ−Ｄ」断面図である。
【図２０】曲成した接続用ノズルの実施例を示す「Ｅ−Ｅ」断面図である。
【符号の説明】
１　隙間ノズル
２　側面部吸込口
３　ブラシ
４　先端部吸込口の開閉蓋
５　側面部吸込口の開閉蓋
６　接続用ノズル
７　先端部吸込口
８　延長用隙間ノズル
９　曲成した中継パイプ
１０　曲成した接続用ノズル
【図１】
2004057781.tif 000003
【図２】
2004057781.tif 000004
【図３】
2004057781.tif 000005
【図４】
2004057781.tif 000006
【図５】
2004057781.tif 000007
【図６】
2004057781.tif 000008
【図７】
2004057781.tif 000009
【図８】
2004057781.tif 000010
【図９】
2004057781.tif 000011
【図１０】
2004057781.tif 000012
【図１１】
2004057781.tif 000013
【図１２】
2004057781.tif 000014
【図１３】
2004057781.tif 000015
【図１４】
2004057781.tif 000016
【図１５】
2004057781.tif 000017
【図１６】
2004057781.tif 000018
【図１７】
2004057781.tif 000019
【図１８】
2004057781.tif 000020
【図１９】
2004057781.tif 000021
【図２０】
2004057781.tif 000022
【手続補正書】
【提出日】平成14年8月13日(2002.8.13)
【手続補正１】
【補正対象書類名】明細書
【補正対象項目名】請求項２
【補正方法】変更
【補正の内容】
【請求項２】
隙間ノズルの先端部及び側面部のいずれにも吸込口を設け、かつ側面部吸込口又は全ての吸込口を開閉自在にしたことを特徴とする請求項１記載の多用途隙間ノズル。
【手続補正２】
【補正対象書類名】図面
【補正対象項目名】図１８
【補正方法】変更
【補正の内容】
【図１８】
2004057781.tif 000023
【手続補正３】
【補正対象書類名】図面
【補正対象項目名】図１９
【補正方法】変更
【補正の内容】
【図１９】
2004057781.tif 000024